(57)【要約】【課題】簡易に腹筋運動をすることができる腹筋運動用補助具を提供すること。【解決手段】マットレス２２に装着して用いる腹筋運動用補助具１０であって、マットレス２２の足元側の端縁２３に沿ってマットレス２２の外周面に周回させるように掛け渡され、ストッパ３２が設けられた固定ベルト３０と、マットレス２２の上面および下面に掛け渡されている固定ベルト３０どうしを連結するずれ止め体３４と、筒状体に形成され、内部空間に固定ベルト３０が挿通されたクッション体３６と、固定ベルト３０に取り付けられ、マットレス２２の足元側の端縁２３から離反する方向に延設された補助ベルト４０と、を有することを特徴とする。【選択図】図１
0003192882.tif 000002
【実用新案登録請求の範囲】
【請求項１】
マットレスに装着して用いる腹筋運動用補助具であって、
前記マットレスの一の端縁に沿って前記マットレスの外周面に周回させるように掛け渡され、長さ調整部が設けられた固定体と、
前記マットレスの上面および下面に掛け渡されている前記固定体どうしを連結するずれ止め体と、
筒状体に形成され、内部空間に前記固定体が挿通されたクッション体と、
前記固定体に取り付けられ、前記マットレスの一の端縁から離反する方向に延設された運動補助体と、
を有することを特徴とする腹筋運動用補助具。
【請求項２】
前記運動補助体は、前記固定体に着脱可能であることを特徴とする請求項１記載の腹筋運動用補助具。
【請求項３】
前記クッション体は、前記固定体の掛け渡し方向における移動範囲が前記運動補助体または前記ずれ止め体によって規制されていることを特徴とする請求項１または２記載の腹筋運動用補助具。
【請求項４】
前記マットレスの上面に位置する前記固定体または前記ずれ止め体には、カウンタが配設されていることを特徴とする請求項１〜３のうちのいずれか一項に記載の腹筋運動用補助具。
【請求項５】
前記運動補助体は、Ｙ字形状をなしていることを特徴とする請求項１〜４のうちのいずれか一項に記載の腹筋運動用補助具。
【考案の詳細な説明】
【技術分野】
【０００１】
本考案は、腹筋運動用補助具に関する。
【背景技術】
【０００２】
腹筋運動を行う際において、腹筋運動をしやすくするための腹筋運動用補助具については、特許文献１に開示されているような構成をはじめとして様々な形態の腹筋運動用補助具が提案されている。
【先行技術文献】
【特許文献】
【０００３】
【特許文献１】公開特許公報  特開平５−２４５２２９号公報
【考案の概要】
【考案が解決しようとする課題】
【０００４】
特許文献１に開示されている腹筋運動用補助具においては、通常の腹筋運動をすることができるという前提で設計されているため、通常の腹筋運動をすることができない使用者や、通常の腹筋運動が困難である使用者に対してはきわめて使い勝手の悪いものであり、改善が望まれていた。
【０００５】
そこで本考案は、簡易に腹筋運動をすることができる腹筋運動用補助具の提案を目的とし、特に、通常の腹筋運動をすることができない使用者や、通常の腹筋運動が困難である使用者であっても腹筋運動を行うことが可能な腹筋運動用補助具の提案を目的としている。
【課題を解決するための手段】
【０００６】
上記課題を解決するために本考案者は鋭意研究を行った結果、以下の構成に想到した。
すなわち、マットレスに装着して用いる腹筋運動用補助具であって、前記マットレスの一の端縁に沿って前記マットレスの外周面に周回させるように掛け渡され、長さ調整部が設けられた固定体と、前記マットレスの上面および下面に掛け渡されている前記固定体どうしを連結するずれ止め体と、筒状体に形成され、内部空間に前記固定体が挿通されたクッション体と、前記固定体に取り付けられ、前記マットレスの一の端縁から離反する方向に延設された運動補助体と、を有することを特徴とする腹筋運動用補助具である。
【０００７】
本構成を採用することにより、使用者はクッション体に足を引っ掛けるだけで腹筋運動をすることができる。また、通常の腹筋運動をすることができない使用者や、通常の腹筋運動が困難である使用者であっても、運動補助体を用いることにより腹筋運動を行うことが可能になる。また、ベッドのマットレスの本考案品を装着することにより、起床時や就寝時における腹筋運動を習慣化することができる。
【０００８】
また、前記運動補助体は、前記固定体に着脱可能であることが好ましい。
【０００９】
これにより、固定体への運動補助体の装着、および、固定体からの運動補助具の取り外しを使用者の要望に応じて適宜行うことができる。このような構成は特に運動初心者において好都合である。
【００１０】
また、前記クッション体は、前記固定体の掛け渡し方向における移動範囲が前記運動補助体または前記ずれ止め体によって規制されていることが好ましい。
【００１１】
これにより、ベッドのマットレスに本物品を装着した場合、睡眠中等にクッション体がマットレスの脇にずれ落ちてしまうことがなく、マットレスにあおむけになった状態で足を伸ばしてクッション体に引掛けるだけで、きわめて短時間で腹筋運動の準備をすることができる。
【００１２】
また、前記マットレスの上面に位置する前記固定体または前記ずれ止め体には、カウンタが配設されていることが好ましい。
【００１３】
これにより、腹筋運動の回数を簡単に確認することができ、腹筋運動の運動量の管理が容易になる。
【００１４】
また、前記運動補助体は、Ｙ字形状をなしていることが好ましい。
【００１５】
これにより、運動補助体を安定した状態で固定体に連結させることができる。また、固定体に対する運動補助体の取り付け向きによっては、腹筋運動の補助をする際に両腕の力を用いることになるから上半身全体の筋肉を用いた運動を行うこともできる。
【考案の効果】
【００１６】
本考案にかかる腹筋運動用補助具の構成によれば、きわめて簡易な構造の腹筋運動用補助具を提供することができる。特に、通常の腹筋運動をすることができない使用者や、通常の腹筋運動が困難である使用者であっても運動補助体を利用することにより腹筋運動を行うことが可能になる。
【００１７】
また、腹筋運動用補助具は、ベッドのマットレスに装着したままの状態にしておいても、睡眠中等において邪魔になることがない。このため、起床時や就寝時における腹筋運動を習慣化させることができる。
【図面の簡単な説明】
【００１８】
【図１】本実施形態にかかる腹筋運動用補助具をベッドのマットレスに装着した状態を示す斜視図である。
【図２】他の実施形態の一例を示す説明図である。
【考案を実施するための形態】
【００１９】
以下、本考案にかかる腹筋運動用補助具の実施形態について図面に基づいて具体的に説明する。
本実施形態にかかる腹筋運動用補助具１０は、図１に示すように、ベッド２０に載置されたマットレス２２の一の端縁であるいわゆる足元側の端縁２３に装着されるベルト状の長尺体により構成されている。本実施形態におけるベルト状の長尺体としては、自動車用シートベルトのような薄手で肌触りが柔らかな合成樹脂製ベルトを想定しているが、このようなベルト状の長尺体に限定されるものではない。
【００２０】
図１に示すように、固定体としての固定ベルト３０は、マットレス２２の足元側の端縁２３に沿ってマットレス２２の外周面を周回させる配置で掛け渡されている。また、固定ベルト３０には、マットレス２２への周回状態（締付状態）を調整するための長さ調整部としてのストッパ３２が設けられている。ストッパ３２は公知の構成のものを適宜用いることができる。
【００２１】
固定ベルト３０には、マットレス２２の外周面に周回させた固定ベルト３０が頭側にずれないようにするためのずれ止め体３４が取り付けられている。ずれ止め体３４は、マットレス２２の上面と下面に位置する固定ベルト３０どうしをマットレス２２の厚さ方向に掛け渡すようにしてコ字状に取り付けられている。このようなずれ止め体３４は、マットレス２２の足元側の端縁２３に沿ってほぼ均等間隔に配設されている。図１に示すように本実施形態においては、固定ベルト３０には３本のずれ止め体３４が配設されている。
【００２２】
また、固定ベルト３０には発泡ウレタン等の発泡性合成樹脂に代表されるクッション性を有する材料により筒状体に形成されたクッション体３６が取り付けられている。クッション体３６は、腹筋運動をする使用者が足を引っ掛ける際に、固定ベルト３０により足が傷つくこと（足が固定ベルト３０に擦れて痛くなること）を防止するためのものである。
クッション体３６は、クッション体３６の内部空間に固定ベルト３０を挿通させることにより固定ベルト３０に装着されている。クッション体３６は、３本のずれ止め体３４により区切られた範囲内で固定ベルト３０に配設されているので、固定ベルト３０の掛け渡し方向におけるクッション体３６の移動範囲が規制される。これにより使用者の足元には常にクッション体３６がある状態にすることができる。
【００２３】
また、固定ベルト３０には運動補助体としての補助ベルト４０が取り付けられている。補助ベルト４０は、マットレス２２の足元側の端縁２３から離反する方向（使用者の頭側に向う方向）に延設されており、腹筋運動ができない使用者や腹筋運動が困難な使用者が腕の力を利用しながら腹筋運動ができるようにするためのものである。本実施形態における補助ベルト４０は、平面視形状が略Ｙ字形状をなし、分岐部側がそれぞれ固定ベルト３０に連結されている。このような補助ベルト４０を配設することにより、腹筋運動ができないことや腹筋運動が困難な使用者であっても腕の力を用いて腹筋運動を行うことができるので、継続的に腹筋運動をすることができる。
【００２４】
また、本実施形態においては、マットレス２２の幅方向における中央部分に腹筋運動の回数をカウントするためのカウンタ５０が配設されている。図１においては固定ベルト３０にカウンタ５０を取り付けているが、ずれ止め体３４や補助ベルト４０のいずれかに取り付けることもできる。また、カウンタ５０は、固定ベルト３０、ずれ止め体３４、補助ベルト４０のいずれかに対して着脱可能に配設されていればなお好都合である。
【００２５】
以上に示したベッド２０のマットレス２２に装着した腹筋運動用補助具１０を用いることにより、使用者は起床時や就寝時において腹筋運動を継続的に行うことができる。また、腹筋運動用補助具１０は補助ベルト４０を有しているため、腹筋運動が苦手な使用者であっても腹筋運動をすることができ、さらには腕のエクササイズを腹筋運動と同時に行うことができるので、運動不足の解消にきわめて有効である。
さらには、本考案に係る腹筋運動用補助具１０は固定ベルト３０に代表される薄手の長尺体を基本構成にしているため、ベッド２０のマットレス２２に装着したままの状態であっても睡眠中において邪魔になることがない点においても好都合である。
【００２６】
以上に、本考案にかかる腹筋運動用補助具１０の実施形態について説明をしたが、本考案の技術的範囲は、以上の実施形態に限定されるものではなく、考案の要旨を変更しない範囲において変更を施した実施形態であれば、本考案の技術的範囲に属するのはもちろんである。
例えば、以上の実施形態においては、ベッド２０のマットレス２２に本物品を装着した実施形態について説明しているが、マットレス２２はベッド２０のマットレスに限定されるものではない。
【００２７】
また、以上の実施形態においては、平面視形状がＹ字状に形成された補助ベルト４０の分岐側を固定ベルト３０に連結した形態について説明しているが、Ｙ字状に形成した補助ベルト４０の分岐側のそれぞれを使用者が掴んで使用することができるように補助ベルト４０を固定ベルト３０に連結した形態を採用してもよい。また、図２に示すように、固定ベルト３０に対して所要間隔をあけて、直線状に形成された２本の補助ベルト４０，４０を連結した形態を採用することもできる。これらの形態を採用した場合、使用者は補助ベルト４０を両手でつかんで引っ張りながら腹筋運動を行うことになるので、上半身全体の筋肉を使った運動に近い、運動負荷の高いエクササイズをすることができる点においても好都合である。
【００２８】
なお、補助ベルト４０は固定ベルト３０に着脱可能にすることもできる。固定ベルト３０への補助ベルト４０の着脱構造は、カナビラやフック等の公知の係止手段を固定ベルト３０、および、補助ベルト４０のうちの少なくとも一方に取り付けておけばよい。より単純な着脱可能な構成としては、補助ベルト４０を固定ベルト３０に縛り付けることにより固定ベルト３０に補助ベルト４０を着脱可能にすることもできる。
【００２９】
また、以上の実施形態においては、クッション体３６がずれ止め体３４によってマットレス２２の横幅方向（マットレス２２への固定ベルト３０の掛け渡し方向）における移動範囲が規制された状態になっているが、補助ベルト４０によりクッション体３６のマットレス２２の横幅方向における移動範囲を規制した形態を採用することもできる。
さらに、クッション体３６の長手方向に沿って切込部を形成すると共にクッション体３６の外表面に係止具を兼ねるカバー（いずれも図示せず）を装着して、固定ベルト３０に対してクッション体３６を着脱可能にしてもよい。
【００３０】
さらにまた、以上の実施形態においては、腹筋運動の回数をカウントするカウンタ５０を有する腹筋運動用補助具１０の構成について説明しているが、カウンタ５０の配設は省略してもよい。
【符号の説明】
【００３１】
１０  腹筋運動用補助具，２０  ベッド，２２  マットレス，２３  足元側の端縁，
３０  固定ベルト（固定体），３２  ストッパ（長さ調整部），３４  ずれ止め体，
３６  クッション体，４０  補助ベルト（運動補助体），５０  カウンタ
【図１】
0003192882.tif 000003
【図２】
0003192882.tif 000004